(57)【要約】【課題】材料の生産や管理が容易になり、コストも低減させる。【解決手段】踏板６を段状に設けた階段に間隔をおいて支柱８を立て、支柱８の上端に手摺レール９を支持するとともに、支柱８間に胴縁１０を上下に配置し、上下の胴縁１０間にパネル１１を配設した手摺付き階段において、支柱８の上下段に対面する両側部には長手方向に沿って胴縁１０を嵌合可能なレール溝１３を形成する一方、このレール溝１３にはパネル１１を嵌合可能な嵌合溝を有するアタッチメントレール１７を、嵌合溝の開口側と背面側とを入れ替えて嵌合装着可能とするとともに、レール溝１３の、パネル１１の端部に対応する位置にはアタッチメントレールの開口溝の開口側を外側に向けて嵌合装着し、胴縁１０の上方と下方にはアタッチメントレール１７の背面側を外側に向けて嵌合装着した。【選択図】図３
2008138416.tif 000002
【特許請求の範囲】
【請求項１】
踏板を段状に設けた階段に間隔をおいて支柱を立て、支柱の上端に手摺レールを支持するとともに、上記支柱間に胴縁を上下に配置し、上下の胴縁間にパネルを配設した手摺付き階段において、上記支柱の上下段に対面する両側部には長手方向に沿って上記胴縁を嵌合可能なレール溝を形成する一方、このレール溝には上記パネルを嵌合可能な嵌合溝を有するアタッチメントレールを、上記嵌合溝の開口側と背面側とを入れ替えて嵌合装着可能とするとともに、上記レール溝の、上記パネルの端部に対応する位置には、上記アタッチメントレールの開口溝の開口側を外側に向けて嵌合装着し、上記胴縁の上方と下方には上記アタッチメントレールの背面側を外側に向けて嵌合装着したことを特徴とする手摺付き階段。
【請求項２】
上記支柱の下端部は、対応する部位の踏板の最奥部に固定された固定金具に固定されるとともに、その上部は、上記レール溝の溝底から固着具を貫通して上記踏板の上段の踏板の手前側の先端部に固定したことを特徴とする、請求項１に記載の手摺付き階段。
【発明の詳細な説明】
【技術分野】
【０００１】
本発明は、踏板を段状に設けた階段に間隔をおいて設けられた支柱の上端に手摺レールを配置するとともに、手摺レールの下方には側面パネルを配設した構造の手摺付き階段に関する。
【背景技術】
【０００２】
例えば、階段には手摺が設けられているとともに、安全のために手摺の下方にパネルを配設することがある。この場合、手摺の下に上下２本の胴縁を取りつけ、これらの胴縁の間にパネルを保持する構成がとられる。手摺は階段に沿って配置された支柱の上部に支持されているので、手摺の下方にパネルを設けると、支柱が胴縁を横切ることになるから、胴縁を切断し、その切断端部を支柱に突き当てて処理していた。
【０００３】
そのための手段として、支柱に嵌合溝を形成しておき、この嵌合溝にパネルの端部を嵌め込むためのアタッチメントを嵌合することが知られている（特許文献１参照）。これによれば、パネルの端部はアタッチメントの内部に飲み込まれるから、その端部小口が外部に露出することがない。
【０００４】
また、手摺を支持するための支柱は階段に固定されていた。この場合、支柱を直接にビスで階段の踏板などに固定したり、固定金具を介して固定する方法が一般的である（特許文献２、３参照）。
【特許文献１】特開２００５−３１５０２６号公報
【特許文献２】特開２００６−２６５９３７号公報
【特許文献３】特開２００６−２５７６６４号公報
【発明の開示】
【発明が解決しようとする課題】
【０００５】
しかしながら、従来のアタッチメント構造では、パネルを取り付けない部位は、嵌合溝がそのまま露出してしまうので、嵌合溝を塞ぐための化粧用アタッチメントが上記パネル嵌合用のアタッチメントとは別に設けられていた。このため、材料の生産や管理に手間がかかるとともに、生産用の金型にも費用がかかっていた。
【０００６】
同様に、従来の支柱取付構造では支柱を階段に固定するための固定金具や取付けネジの頭部が露出するので、外観が損なわれるという問題があった
本発明は上記問題点を解決し、従来のアタッチメントの嵌合構造を改善し、１種類のアタッチメントレールによってパネル端部の嵌合とパネルを取り付けない部分の化粧を兼用させ、これによって材料の生産や管理が容易になり、コストも低減することができる手摺付き階段を提供することをその主たる課題とする。
【０００７】
また、本発明はさらに、手摺を支持するための支柱の取付構造を改善し、支柱の取付部の見栄えをよくすることができる手摺付き階段を提供することも実現しようとするものである。
【課題を解決するための手段】
【０００８】
請求項１に係る発明は、踏板を段状に設けた階段に間隔をおいて支柱を立て、支柱の上端に手摺レールを支持するとともに、上記支柱間に胴縁を上下に配置し、上下の胴縁間にパネルを配設した手摺付き階段において、上記支柱の上下段に対面する両側部には長手方向に沿って上記胴縁を嵌合可能なレール溝を形成する一方、このレール溝には上記パネルを嵌合可能な嵌合溝を有するアタッチメントレールを、上記嵌合溝の開口側と背面側とを入れ替えて嵌合装着可能とするとともに、上記レール溝の、上記パネルの端部に対応する位置には、上記アタッチメントレールの開口溝の開口側を外側に向けて嵌合装着し、上記胴縁の上方と下方には上記アタッチメントレールの背面側を外側に向けて嵌合装着したことを特徴とする。
【０００９】
請求項２に係る発明は、請求項１において、上記支柱の下端部は、対応する部位の踏板の最奥部に固定された固定金具に固定されるとともに、その上部は、上記レール溝の溝底から固着具を貫通して上記踏板の上段の踏板の手前側の先端部に固定したことを特徴とする。
【発明の効果】
【００１０】
請求項１に係る発明によれば、支柱の上下段に対面する両側部には長手方向に沿って上記胴縁を嵌合可能なレール溝を形成する一方、このレール溝には上記パネルを嵌合可能な嵌合溝を有するアタッチメントレールを、上記嵌合溝の開口側と背面側とを入れ替えて嵌合装着可能とするとともに、上記レール溝の、上記パネルの端部に対応する位置には、上記アタッチメントレールの開口溝の開口側を外側に向けて嵌合装着し、上記胴縁の上方と下方には上記アタッチメントレールの背面側を外側に向けて嵌合装着したので、パネルや胴縁の端部を隠すことができるとともに、パネルを取り付けない部分も、支柱の外観を良好に確保することができ、支柱の取付部の見栄えをよくすることができる。
【００１１】
請求項２に係る発明によれば、請求項１において、上記支柱の下端部は、対応する部位の踏板の最奥部に固定された固定金具に固定されるとともに、その上部は、上記レール溝の溝底から固着具を貫通して上記踏板の上段の踏板の手前側の先端部に固定したので、ネジを挿通した側のレール溝にアタッチメントレールを嵌合装着することにより、ネジ頭部を外部から隠すことができる。
【００１２】
このように、支柱を上下２箇所で固定することにより、強固に立設することができるとともに、見栄えのよい外観が確保される。
【発明を実施するための最良の形態】
【００１３】
図１は本発明を建物の内部に設置された折り返し階段において実施した場合の形態を示す側面図である。この折り返し階段は、建物の下階１と上階２との間に金属製の下側の階段フレーム３ａと上側の階段フレーム３ｂとを踊り場４を介して折り返しにして連続させて設置したもので、上下の階段フレーム３ｂ、３ａには間隔をおいて踏板受け５を介して踏板６が取り付けられている。なお、７は壁躯体を示す。
【００１４】
上記階段には複数の支柱８が間隔をおいて立てられ、支柱８上には手摺レール９が支持されている。また、上記支柱８間には胴縁１０が上下に配置され、上下の胴縁１０間にはパネル１１が配設されている。なお、階段フレーム３ａ（３ｂ）と踏板受け５と支柱８と手摺レール９はアルミニウム等の金属から構成されている。
【００１５】
支柱８は中空に形成され、階段の上側と下側に対面する両側部（手前と奥側）には図３に示されるように、長手方向に沿ってレール溝１３が開口形成され、このレール溝１３と隣り合う側面には中空部１４が形成されている。レール溝１３の溝幅ｗ１は胴縁１０の幅ｗ２（図５参照）と略同じに設定されている。また、レール溝１３の相対する溝壁にはそれぞれ凹溝１６が形成されている。そして、凹溝１６にはアタッチメントレール１７が上記レール溝１３に嵌合可能に設けられている。
【００１６】
図４に示されるように、アタッチメントレール１７は断面がコ字状に形成され、一側は開口されて嵌合溝２１が形成され、他側（背面側）は閉じている。また、両側の相対する片１８、１９の中央部には外方に突出する突条２０が形成されている。アタッチメントレール１７は、全体が上記レール溝１３にスライドにより嵌合可能な断面形状を有し、突条２０はレール溝１３の凹溝１６に嵌合可能な大きさになっている。アタッチメントレール１７の嵌合溝２１の溝幅ｗ３は上記パネル１１の幅と略同じ寸法に設定されている。また、アタッチメントレール１７は嵌合溝２１を正面として左右が同一に形成されている。このため、アタッチメントレール１７は、図２及び図３に示されるように、上記嵌合溝２１の開口側と背面側とを入れ替えて支柱８のレール溝１３に嵌合装着可能となっている。すなわち、図３において右側のアタッチメントレール１７は外側に嵌合溝２１を、左側のアタッチメントレール１７は内側に嵌合溝２１を向けた配置となっている。
【００１７】
パネル１１は合成樹脂等から構成され、その上下端縁は胴縁１０によって保持されている。胴縁１０はコ字状の部材で、図５に示されるように、開口側にはパネル嵌合溝２２が形成され、その反対側には中空部２３が形成されている。胴縁１０の中央部にはビスホールが形成されている。
【００１８】
次に、上記胴縁１０とパネル１１とは次のようにして支柱８に取り付けられている。
【００１９】
まず、アタッチメントレール１７の嵌合溝２１にパネル１１を嵌合装着しておき、支柱８の上段側のレール溝１３のうちパネル１１の端部に突き当たる部位には、上記アタッチメントレール１７を嵌合装着する。また、胴縁１０はレール溝１３に直接に嵌合させる。これにより、パネル１１はアタッチメントレール１７に、胴縁１０はレール溝１３にそれぞれ嵌合して端部処理される。
【００２０】
ところで、支柱８において胴縁１０とパネル１１の端部が突き当てられない部位、つまり上部胴縁１０の上部と下部胴縁１０の下部は、レール溝１３が露出しているので、この部位にはアタッチメントレール１７を上記嵌合溝２１の開口側と背面側とを入れ替え、図３の左側のアタッチメントレール１７のように背面側を外側に向けて露出するようにしてスライドさせて嵌合装着する。支柱８の下段側のレール溝１３にはパネル１１は配置されないので、この部位にはアタッチメントレール１７を、その背面側を外部に露出するようにして嵌合装着する。
【００２１】
なお、支柱８の下段側のレール溝１３にパネル１１と胴縁１０の端部を嵌合するときは、上述の支柱８及び上段側のレール溝１３に嵌合した場合と同じ要領によればよい。
【００２２】
上記構成によれば、パネル１１や胴縁１０の端部を隠すことができるとともに、パネル１１を取り付けない部分も、支柱８の外観を良好に確保することができる。したがって、支柱８の取付部の見栄えをよくすることができる。
【００２３】
次に、上記支柱８は階段フレーム３ａ（３ｂ）に対して次のように固定されている。すなわち、図６及び図７に示されるように、支柱８の下端部は、対応する部位の踏板６の最奥部に固定された固定金具２４に固定されている。固定金具２４は板状のベース２５の隣り合う２辺から起立片２６を立ち上げた構成であり、支柱８の下部を上記ベース２５の外側に嵌め込むようにして取り付けるとともに、支柱８の中央の隔壁（レール溝１３の溝底２７、図３参照）からネジ２８を貫通させて上記固定金具２４の起立片２６にネジ止め固定する。
【００２４】
さらに、その上部は、上記隔壁２７からネジ２８を貫通して上記踏板６の上段の踏板６の手前側の段鼻に固定する。
【００２５】
最後に、ネジ２８を挿通した側のレール溝１３にアタッチメントレール１７を嵌合装着することにより、ネジ頭部を外部から隠すことができる。
【００２６】
このように、支柱８を上下２箇所で固定することにより、強固に立設することができるとともに、見栄えのよい外観が確保される。
【図面の簡単な説明】
【００２７】
【図１】本発明に係る手摺付き階段の側面図
【図２】上記手摺の支柱の一部の側面図
【図３】図２のＸ−Ｘ線上の断面図
【図４】アタッチメントレールの断面図
【図５】胴縁の断面図
【図６】支柱の下部の取付態様を示す側面図
【図７】上記取付態様の正面図
【符号の説明】
【００２８】
６    踏板
８    支柱
９    手摺
１０  胴縁
１３  レール溝
１７  アタッチメントレール
【図１】
2008138416.tif 000003
【図２】
2008138416.tif 000004
【図３】
2008138416.tif 000005
【図４】
2008138416.tif 000006
【図５】
2008138416.tif 000007
【図６】
2008138416.tif 000008
【図７】
2008138416.tif 000009